(57)【要約】【課題】気温の変化に応じて、柔軟に芳香機能を制御できる芳香器を提供する。【解決手段】  上記の課題を解決するために、本発明の第一の態様によれば、芳香器は、入力端子を介して取得した電流を、所定の気温未満の場合には第一出力端子から出力し、所定の気温以上の場合には第二出力端子から出力する切替機構と、第一ヒータと、第一ヒータよりも低い上限温度を備える第二ヒータと、第一出力端子及び第一ヒータと電気的に接続する第一電極と、第二出力端子及び第二ヒータと電気的に接続する第二電極と、第一ヒータ及び第二ヒータと電気的に接続する共通電極と、を有するヒータモジュールと、を含む。【選択図】図４
2013031501.tif 000002
【特許請求の範囲】
【請求項１】
入力端子を介して取得した電流を、所定の気温未満の場合には第一出力端子から出力し、所定の気温以上の場合には第二出力端子から出力する切替機構と、
第一ヒータと、前記第一ヒータよりも低い上限温度を備える第二ヒータと、前記第一出力端子及び前記第一ヒータと電気的に接続する第一電極と、前記第二出力端子及び前記第二ヒータと電気的に接続する第二電極と、前記第一ヒータ及び前記第二ヒータと電気的に接続する共通電極と、を有するヒータモジュールと、を含む、
芳香器。
【請求項２】
入力端子を介して取得した電流を、所定の気温未満の場合には第一出力端子から出力し、所定の気温以上の場合には第二出力端子から出力する切替機構と、
第一ヒータと、前記第一出力端子及び前記第一ヒータと電気的に接続する第一電極と、を有する第一ヒータモジュールと、
前記第一ヒータよりも低い上限温度を備える第二ヒータと、前記第二出力端子及び前記第二ヒータと電気的に接続する第二電極と、を有する第二ヒータモジュールと、を含む、
芳香器。
【請求項３】
入力端子を介して取得した電流を、所定の温度未満の場合には第一出力端子から出力し、所定の温度以上の場合には第二出力端子から出力する切替機構と、
第一ＰＴＣヒータと、前記第一出力端子及び前記第一ＰＴＣヒータと電気的に接続する第一電極と、を有する第一ＰＴＣヒータモジュールと、
第二ＰＴＣヒータと、前記第二出力端子及び前記第二ＰＴＣヒータと電気的に接続する第二電極と、を有する第二ＰＴＣヒータモジュールと、を含み、
第一芳香剤と第二芳香剤の香りの（１）種類、（２）濃度の少なくとも何れか一方は異なるものとし、前記第一ＰＴＣヒータモジュールは前記第一芳香剤を加熱し、前記第二ＰＴＣヒータモジュールは前記第二芳香剤を加熱する、
芳香器。
【請求項４】
請求項１から請求項３の何れかに記載の芳香器であって、
前記第一ヒータと前記第二ヒータは、ＰＴＣヒータである、
芳香器。
【請求項５】
請求項１から請求項４の何れかに記載の芳香器であって、
前記切替機構は、入力端子を介して取得した電流を、オン状態では第一出力端子から出力し、オフ状態では第二出力端子から出力するマイクロスイッチと、気温が所定の気温未満の場合には変形して前記マイクロスイッチをオン状態とし、気温が所定の気温以上の場合には変形前の形状に戻り前記マイクロスイッチをオフ状態とする形状記憶バネを含む、
芳香器。
【発明の詳細な説明】
【技術分野】
【０００１】
本発明は加熱により芳香剤を拡散させる芳香器に関する。
【背景技術】
【０００２】
加熱により芳香剤を拡散させる芳香器の従来技術として、特許文献１や特許文献２が知られている。
【０００３】
特許文献１では、芳香剤吸い上げ芯を加熱する正特性サーミスタ発熱体を断続させるインターバルスイッチを正特性サーミスタ発熱体に直列に介在させた回路を構成する。
【０００４】
また、特許文献２では、２個の薬液カートリッジと各カートリッジを加熱するヒータを備え、スイッチ操作により各ヒータの通電時間を設置し、各ヒータのＯＮ−ＯＦＦ制御する。
【先行技術文献】
【特許文献】
【０００５】
【特許文献１】特開平１１−３９１号公報
【特許文献２】特開平８−１５５０１８号公報
【発明の概要】
【発明が解決しようとする課題】
【０００６】
芳香剤はヒータによる加熱だけではなく、気温によりその拡散量が変化するので、ヒータの温度が同じ場合、暑いときは拡散量が増加し香りが強くなり、寒いときは拡散量が減少し香りが弱くなる。よって、従来技術では、気温の変化に関わらず、拡散量を略一定に保ち、同じ強さの香りを提供することは難しかった。
【０００７】
本発明は、気温の変化に応じて、柔軟に芳香機能を制御できる芳香器を提供することを目的とする。なお、芳香機能とは、例えば、気温の変化に応じてヒータ温度を変更し気温が変化しても拡散量を略一定に維持する機能や、気温の変化に応じて香りの種類や香りの濃さの異なる芳香剤を拡散する機能である。
【課題を解決するための手段】
【０００８】
上記の課題を解決するために、本発明の第一の態様によれば、芳香器は、入力端子を介して取得した電流を、所定の気温未満の場合には第一出力端子から出力し、所定の気温以上の場合には第二出力端子から出力する切替機構と、第一ヒータと、第一ヒータよりも低い上限温度を備える第二ヒータと、第一出力端子及び第一ヒータと電気的に接続する第一電極と、第二出力端子及び第二ヒータと電気的に接続する第二電極と、第一ヒータ及び第二ヒータと電気的に接続する共通電極と、を有するヒータモジュールと、を含む。
【０００９】
上記の課題を解決するために、本発明の第二の態様によれば、芳香器は、入力端子を介して取得した電流を、所定の気温未満の場合には第一出力端子から出力し、所定の気温以上の場合には第二出力端子から出力する切替機構と、第一ヒータと、第一出力端子及び第一ヒータと電気的に接続する第一電極と、を有する第一ヒータモジュールと、第一ヒータよりも低い上限温度を備える第二ヒータと、第二出力端子及び第二ヒータと電気的に接続する第二電極と、を有する第二ヒータモジュールと、を含む。
【００１０】
上記の課題を解決するために、本発明の第三の態様によれば、芳香器は、入力端子を介して取得した電流を、所定の温度未満の場合には第一出力端子から出力し、所定の温度以上の場合には第二出力端子から出力する切替機構と、第一ＰＴＣヒータと、第一出力端子及び第一ＰＴＣヒータと電気的に接続する第一電極と、を有する第一ＰＴＣヒータモジュールと、第二ＰＴＣヒータと、第二出力端子及び第二ＰＴＣヒータと電気的に接続する第二電極と、を有する第二ＰＴＣヒータモジュールと、を含む。第一芳香剤と第二芳香剤の香りの（１）種類、（２）濃度の少なくとも何れか一方は異なるものとし、第一ＰＴＣヒータモジュールは第一芳香剤を加熱し、第二ＰＴＣヒータモジュールは第二芳香剤を加熱する。
【発明の効果】
【００１１】
本発明に係る芳香器は、気温の変化に応じて、加熱するヒータを変更し、柔軟に芳香機能を制御できるという効果を奏する。
【図面の簡単な説明】
【００１２】
【図１】芳香器１の斜視図。
【図２】図１の芳香器１からＡＣコード１１と上ケース１２とスイッチ１３と各配線を取り外した状態の斜視図。
【図３】図１の芳香器１の回路図。
【図４】図２の分解斜視図。
【図５】図２の芳香器１を矢印方向から見た側面図。
【図６】芳香器１の構成を説明するための図。
【図７】ＰＴＣヒータモジュール１６の分解斜視図。
【図８】ＰＴＣヒータモジュール１６からケース１６５を取り外した状態の斜視図。
【図９】図９Ａは気温とヒータ温度と周囲温度の関係を示す図、図９Ｂは気温と拡散量の関係を示す図。
【図１０】芳香器２の斜視図。
【図１１】図１０の芳香器２からＡＣコード１１と上ケース２２とスイッチ１３と各配線を取り外した状態の斜視図。
【図１２】図１１の分解斜視図。
【図１３】第一ＰＴＣヒータモジュール２６Ａの分解斜視図。
【図１４】芳香器２の構成を説明するための図。
【図１５】図１５Ａは気温が所定の温度未満の場合の切替機構１７の変形例の動作を示す図、図１５Ｂは気温が所定の温度以上の場合の切替機構１７の変形例の動作を示す図。
【発明を実施するための形態】
【００１３】
以下、本発明の実施形態について説明する。なお、以下の説明に用いる図面では、同じ機能を持つ構成部や同じ処理を行うステップには同一の符号を記し、重複説明を省略する。
【００１４】
＜第一実施形態に係る芳香器１＞
図１は芳香器１の斜視図を示す。芳香器１は、ＡＣコード１１と上ケース１２とスイッチ１３とを含む。図２は芳香器１からＡＣコード１１と上ケース１２とスイッチ１３と各配線を取り外した状態の斜視図を（各配線については図３参照）、図４は図２の分解斜視図を示す。芳香器１は、下ケース１５とＰＴＣヒータモジュール１６と切替機構１７とを含む。
【００１５】
＜ＡＣコード１１、上ケース１２、スイッチ１３＞
図１に示すように、上ケース１２は、中空の略半球状に形成される。上ケース１２は、その内部に下ケース１５とＰＴＣヒータモジュール１６と切替機構１７を収容し、外部から保護し、利用者が後述する芳香剤や放熱筒を触ってしまうのを防止する。上ケース１２には拡散した芳香剤を外部に放出するための開口部１２１が設けられている。ＡＣコード１１は、芳香器１内部の機器（例えば、ＰＴＣヒータモジュール１６）に電流を流す（図３参照）。スイッチ１３は電源スイッチであり、ＡＣコード１１の差込プラグをプラグ受けに抜き差しせずとも、利用者はスイッチ１３のオンとオフを切り替えることで、芳香器１を流れる電流を制御することができる。
【００１６】
＜下ケース１５＞
図２及び図４に示すように、下ケース１５は、略四角筒状であり、上端は蓋され、蓋部分中央に、カートリッジ１４の吸液芯部１４１の外周よりも大きい孔１５１が設けられている。下端は開口しており、この開口部からカートリッジ１４が挿入される。
【００１７】
カートリッジ１４は芳香器１とは別品として構成される。カートリッジ１４は吸液芯部１４１と固定キャップ１４２と容器１４３とからなる。容器１４３内部には、加熱されて拡散する液体の芳香剤が収容されている。固定キャップ１４２の中央部には孔が設けられており、その孔には容器１４３の内部から外部まで延びる吸液芯部１４１が嵌挿されている。
【００１８】
カートリッジ１４は、吸液芯部１４１の上端部分を除き、下ケース１５に覆われる（図２参照）。吸液芯部１４１の上端部分は下ケース１５の孔１５１を貫通し、ＰＴＣヒータモジュール１６の放熱筒１６９に囲まれるように配置される。
【００１９】
下ケース１５は下端において、放射方向に延長して形成された台部１５４を備える（図２参照）。台部１５４は中央に略正方形状の開口部を備える円板状である。下ケース１５の円板の台部１５４の外周縁上面と上ケース１２の下端とが接する。
【００２０】
図４に示すように下ケース１５は、その上端において、ＰＴＣヒータモジュール１６が設置される設置部１５２を備える。また、下ケース１５は、その側壁において、切替機構１７を取り付ける取付部１５３を備える。取付部１５３は５つの凸部１５３ａ〜１５３ｅからなる。
【００２１】
なお、下ケース１５の内周面と容器１４３の外周面に係止部を設け、下ケース１５にカートリッジ１４を挿入した際に、下ケース１５に対してカートリッジ１４が固定される構成としてもよい。例えば、一方に凸部を、他方に凹部を設け、嵌合することによって固定する。また、下ケース１５の下端に蓋を設けて、蓋を閉じることでカートリッジを固定する構造としてもよい。
【００２２】
＜切替機構１７＞
切替機構１７は、入力端子を介して取得した電流を、所定の気温未満の場合には第一出力端子から出力し、所定の気温以上の場合には第二出力端子から出力する。以下、詳細を説明する。
【００２３】
本実施形態では図５に示すように、切替機構１７は、スイッチ１７１と形状記憶バネ１７２と引張コイルバネ１７３と回動部材１７４とを含む。
【００２４】
スイッチ１７１は例えばマイクロスイッチであり、入力端子１７１ａを介して取得した電流を、第一出力端子１７１ｂと第二出力端子１７１ｃとの何れかから出力する。例えば、スイッチ１７１がオン状態では第一出力端子１７１ｂから出力し、オフ状態では第二出力端子１７１ｃから出力する。スイッチ１７１には、孔１７１ｅ、１７１ｆが形成されている。この孔１７１ｅ、１７１ｆにそれぞれ凸部１５３ａ、１５３ｂが挿入される。このような構成により、下ケース１５に対してスイッチ１７１の位置が固定される。図６に示すように、入力端子１７１ａはＡＣコード１１と接続される。第一出力端子１７１ｂはＰＴＣヒータモジュール１６の第一電極１６１と電気的に接続され、第二出力端子１７１ｃはＰＴＣヒータモジュール１６の第二電極１６２と電気的に接続される。
【００２５】
形状記憶バネ１７２は、形状記憶合金からなる引張コイルバネであり、所定の温度未満の場合には変形して伸び、所定の温度以上の場合には変形前の形状に回復して縮む。この切替機構１７は、形状記憶バネ１７２を用いて、気温に応じてスイッチ１７１を制御する。言い換えると、形状記憶バネ１７２は、気温が所定の温度未満の場合には変形してスイッチ１７１をオン状態とし、気温が所定の温度以上の場合には変形前の形状に戻りスイッチ１７１をオフ状態とする。
【００２６】
回動部材１７４は、細長い板状であり、その一端側に孔１７４ａを、その他端に凸部１７４ｃを、中央に凸部１７４ｂを形成されている。また、凸部１７４ｃ近傍にはその凸方向に競り上がった壁からなる押下部１７４ｄが形成されている。その凸部１７４ｂ及び１７４ｃを備えていない板面と下ケース１５の側壁面が対向するように配置される。押下部１７４ｄは後述するスイッチ１７１のレバー１７１ｄと係合する。凸部１５３ｄが孔１７４ａを貫通し、回動部材１７４は凸部１５３ｄに軸支される。
【００２７】
引張コイルバネ１７３の両端は輪状に形成される。引張コイルバネ１７３の一端の輪を、凸部１７４ｂが貫通し、他端の輪を凸部１５３ｅが貫通する。形状記憶バネ１７２の両端は輪状に形成される。形状記憶バネ１７２の一端の輪を凸部１７４ｃが貫通し、他端の輪を凸部１５３ｃが貫通する。
【００２８】
所定の温度未満の場合、回動部材１７４は、凸部１５３ｄにより軸支され、その中央部分に存する凸部１７４ｂにおいて、引張コイルバネ１７３により矢印ｄ１方向に引っ張られ、形状記憶バネ１７２は変形して伸びて、押下部１７４ｄがスイッチ１７１のレバー１７１ｄを押下し、スイッチ１７１をオンの状態にする。
【００２９】
所定の温度以上の場合、形状記憶バネ１７２が回復して縮み、回動部材１７４は、凸部１７４ｃにおいて、形状記憶バネ１７２により矢印ｄ２方向に引っ張られ、押下部１７４ｄはスイッチ１７１のレバー１７１ｄの押圧を解き、スイッチ１７１をオフの状態にする。
【００３０】
＜ＰＴＣヒータモジュール１６＞
図７はＰＴＣヒータモジュール１６の分解斜視図を示す。ＰＴＣヒータモジュール１６は、第一電極１６１と第二電極１６２と第一ＰＴＣヒータ１６３と第二ＰＴＣヒータ１６４とケース１６５と第一絶縁体１６６と共通電極１６７と第二絶縁体１６８と放熱筒１６９とを有する。
【００３１】
また、図６及び図８に示すように、第一電極１６１は、第一ＰＴＣヒータ１６３と電気的に接続し、第二電極１６２は、第二ＰＴＣヒータ１６４と電気的に接続している。
【００３２】
よって、第一出力端子１７１ｂから出力された電流は、第一電極１６１、第一ＰＴＣヒータ１６３、共通電極１６７に流れる。同様に第二出力端子１７１ｃから出力された電流は、第二電極１６２、第二ＰＴＣヒータ１６４、共通電極１６７に流れる。
【００３３】
なお、ＰＴＣヒータとはＰＴＣ特性を持ったヒータであり、ＰＴＣとはPositive Temperature Coefficient（正温度係数）の略であり、ＰＴＣ特性とは温度が上がるにつれ、電気抵抗値が正の係数をもって変化する性質のことをいう。ＰＴＣヒータは、電流が流れて温度が上がると次第に電気が流れにくくなり、温度が上限に達して安定するとそれ以上電流が流れない。ＰＴＣヒータは、例えば、チタン酸バリウムを主成分とする半導体セラミックにより構成し、その構成成分の割合を変更することで、その上限温度を変更することができる。本実施形態では第一ＰＴＣヒータ１６３の上限温度（例えば９０度）が第二ＰＴＣヒータ１６４の上限温度（例えば５０度）よりも高くなるように設計する。各ＰＴＣヒータは、円板状に形成される。
【００３４】
ケース１６５は、絶縁体（合成樹脂等）であり、略直方体状に形成され、放熱筒１６９に対向する面に開口部を備え、その内部に第一電極１６１と第二電極１６２と第一ＰＴＣヒータ１６３と第二ＰＴＣヒータ１６４と第一絶縁体１６６と共通電極１６７と第二絶縁体１６８とを収容する空間を備える。ケース１６５には、第一電極１６１の端子部分１６１ａが貫通する貫通孔１６５ａと、第二電極１６２の端子部分１６２ａが貫通する（図示しない）貫通孔と、共通電極１６７の端子部分１６７ａが貫通する貫通孔１６５ｃと、が形成される。
【００３５】
各ＰＴＣヒータの熱は、共通電極１６７を介して、第二絶縁体１６８に伝わり、更に、第二絶縁体１６８を介して放熱筒１６９に伝わる。
【００３６】
第一絶縁体１６６及び第二絶縁体１６８は例えばセラミックにより形成される。第一絶縁体１６６は、第一ＰＣＴヒータ１６３及び第二ＰＣＴヒータ１６４の外周面と共通電極１６７のヒータプレート部１６７ｂの前面との短絡を防ぐ。第二絶縁体１６８は、放熱筒１６９に電流が流れるのを防ぐ。なお、第二絶縁体１６８を熱伝導率の高い材質で形成することで、ＰＴＣヒータで発生した熱を効率的に放熱筒１６９に伝えることができる。
【００３７】
放熱筒１６９は、熱伝導率の高い材料（例えば、金属）により形成される。その形状は
略円筒状であり、その内周面が吸液芯部１４１の上端部分の外周面よりも大きくなるように形成される。例えば、カートリッジ１４を下ケース１５に挿入する際に、挿入軸が多少ずれても放熱筒１６９の内周面と吸液芯部１４１の外周面が接触しない程度の大きさであって、かつ、ＰＴＣヒータの加熱時に吸液芯部１４１の周囲の温度を効率的に上げることができる大きさとなるように形成される。または、放熱筒１６９は、ケース１６５に対して自身を固定するための係止部１６９ａ、１６９ｂを備える。
【００３８】
＜組立＞
例えば、ＰＴＣヒータモジュール１６は以下のように組み立てる（図７参照）。
【００３９】
第一電極１６１の端子部分１６１ａを貫通孔１６５ａに、ケース１６５の内壁面と出力板１６１ｂとが接するまで挿入し、ケース１６５に対して第一電極１６１を固定する。同様に、第二電極１６２の端子部分１６２ａを貫通孔に、ケース１６５の内壁面と出力板１６２ｂとが接するまで挿入し、ケース１６５に対して第二電極１６２を固定する。
【００４０】
次に、第一ＰＴＣヒータ１６３の一方の板面と第一電極１６１の出力板１６１ｂとが接するように、ケース１６５内部に第一ＰＴＣヒータ１６３を配置し、同様に第二ＰＴＣヒータ１６４の一方の板面と第二電極１６２の出力板１６２ｂとが接するように、ケース１６５内部に第二ＰＴＣヒータ１６４を配置する。
【００４１】
第一絶縁体１６６の背面と共通電極１６７のヒータプレート部１６７ｂの前面とが接するまで、共通電極１６７の端子部分１６７ａを第一絶縁体１６６の貫通孔１６６ａに挿入する。
【００４２】
端子部分１６７ａは細長い板状であり、前方部分の幅が後方部分の幅よりも狭く形成され、段部１６７ｃが設けられている。ケース１６５の内壁面と段部１６７ｃの前方端とが接するまで端子部分１６７ａをケース１６５の貫通孔１６５ｃに挿入する。このとき、第一ＰＴＣヒータ１６３と第二ＰＴＣヒータ１６４との間に、端子部分１６７ａの後方部分が存在し、後方部分の一方の板面と第一ＰＴＣヒータ１６３の他方の板面とが接し、後方部分の他方の板面と第二ＰＴＣヒータ１６４の他方の板面とが接するように各部品が形成され、配置されている。
【００４３】
第二絶縁体１６８は、共通電極１６７のヒータプレート部１６７ｂを覆うように配置する。
【００４４】
放熱筒１６９の係止部１６９ａをケース１６５の係止部１６５ｄに嵌める。また、係止部１６９ｂをケース１６５の底面に設けた図示しない係止部に嵌める。このような構成により、各部品を固定する。例えば、各係止部は、一方を嵌合爪、他方を爪受部として形成する。また、各係止部にネジ孔を設け、ネジにより固定してもよい。
【００４５】
さらに、下ケース１５の設置部１５２に図示しないネジ孔を設け（図４参照）、ケース１６５の孔１６５ｅとネジ孔を合わせて、ネジによりＰＴＣヒータモジュール１６を下ケース１５に対して固定する。
【００４６】
なお、カートリッジ１４を下ケース１５に挿入したときに、放熱筒１６９が、吸液芯部１４１の上端部分を包囲するように形成する。
【００４７】
＜作用・効果＞
ＰＴＣヒータの温度（以下「ヒータ温度」と呼ぶ）は、上限温度に達するとそれ以上電流が流れないようにＰＴＣヒータ自体が制御するため、上限温度で安定する、言い換えると、ヒータ温度は、気温に左右されず、上限温度で安定する。しかし、吸液芯部１４１の周囲の温度（以下「周囲温度」と呼ぶ）は、気温に左右される。例えば、気温が１０度であっても３０度であってもヒータ温度は上限温度（例えば９０度）で安定する。一方、周囲温度は、例えば気温が１０度の場合には５０度になり、気温が３０度の場合には６０度になる。よって、周囲温度に応じて、拡散量が変化するため（言い換えると、拡散量は周囲温度に比例する）、ヒータ温度が一定であっても気温が変化することで周囲温度が変化して、拡散量は増減し（図９Ｂの実線参照）、香りの強弱が生じてしまう。つまり、暑い日には芳香剤の香りが強く、寒い日には芳香剤の香りが弱いといったばらつきが生じてしまう。
【００４８】
そこで、上述の構成により、上限温度の異なる二つのＰＴＣヒータを用意し、気温が高い場合には上限温度の低い第二ＰＴＣヒータ１６４に電流を流し、気温が低い場合には上限温度の高い第一ＰＴＣヒータ１６３に電流を流す。このような構成とすることで、周囲温度を略一定に保つようにする（図９Ａ参照）。そして、周囲温度を略一定に保つことで、拡散量を略一定に保ち（図９Ｂの一点鎖線参照）、香りの強さを略一定に保つことができる。なお、図９Ａ、Ｂにおいて、気温がｔ度（例えばｔ＝２５℃）のときに、ＰＴＣヒータを切り替えていることを表す。
【００４９】
＜第二実施形態に係る芳香器２＞
第一実施形態と異なる部分についてのみ説明する。図１０は芳香器２の斜視図を示す。芳香器２は、ＡＣコード１１と上ケース２２とスイッチ１３とを含む。図１１は芳香器１からＡＣコード１１と上ケース２２とスイッチ１３と各配線を取り外した状態の斜視図を、図１２は図１１の分解斜視図を示す。芳香器１は、下ケース２５と第一ＰＴＣヒータモジュール２６Ａと第二ＰＴＣヒータモジュール２６Ｂと切替機構１７とを含む。
【００５０】
＜上ケース２２＞
図１０に示すように、上ケース２２は、中空の略直方体状に形成される。上ケース２２は、その内部に下ケース２５と第一ＰＴＣヒータモジュール２６Ａと第二ＰＴＣヒータモジュール２６Ｂと切替機構１７を収容する。上ケース２２には拡散した芳香剤を外部に放出するための開口部２２１Ａ、２２１Ｂが設けられている。
【００５１】
＜下ケース２５＞
図１１及び図１２に示すように、下ケース２５は、略四角筒状であり、上端は蓋され、蓋部分に、カートリッジ２４の吸液芯部２４１Ａ、２４１Ｂの外周よりも大きい孔２５１Ａ、２５１Ｂが設けられている。下端は開口しており、この開口部からカートリッジ２４が挿入される。
【００５２】
カートリッジ２４は芳香器２とは別品として構成される。カートリッジ２４は吸液芯部２４１Ａ、２４１Ｂと固定キャップ２４２Ａ、２４２Ｂと容器２４３とからなる。容器２４３内部には、加熱されて拡散する液体の芳香剤が収容されている。固定キャップ２４２Ａ、２４２Ｂの中央部分には孔が設けられており、その孔には容器２４３の内部から外部まで延びる吸液芯部２４１Ａ、２４１Ｂがそれぞれ挿入されている。
【００５３】
カートリッジ２４は、吸液芯部２４１Ａ、２４１Ｂの上端部分を除き、下ケース２５に覆われる（図１１参照）。吸液芯部２４１Ａ、２４１Ｂの上端部分は下ケース２５の孔２５１Ａ、２５１Ｂを貫通し、それぞれ第一ＰＴＣヒータモジュール２６Ａの放熱筒２６９Ａ、第二ＰＴＣヒータモジュール２６Ｂの放熱筒２６９Ｂに囲まれるように配置される。
【００５４】
下ケース２５は下端において、放射方向に延長して形成された楕円形板状の台部２５４を備える（図１１参照）。台部２５４は中央に略矩形状の開口部を備える円板状である。下ケース２５の円板の台部２５４の外周縁上面と上ケース２２の下端とが接する。
【００５５】
図１２に示すように下ケース２５は、その上端において、第一ＰＴＣヒータモジュール２６Ａ、第二ＰＴＣヒータモジュールがそれぞれ設置される設置部２５２Ａ、２５２Ｂを備える。
【００５６】
＜第一ＰＴＣヒータモジュール２６Ａ、第二ＰＴＣヒータモジュール２６Ｂ＞
図１３は第一ＰＴＣヒータモジュール２６Ａの分解斜視図を示す。
【００５７】
第一ＰＴＣヒータモジュール２６Ａは、電極２６１Ａと電極２６７ＡとＰＴＣヒータ２６３Ａとケース２６５Ａと絶縁体２６８Ａと放熱筒２６９Ａとを有する。なお、第二ＰＴＣヒータモジュール２６Ｂも同様の構成（電極２６１Ｂと電極２６７ＢとＰＴＣヒータ２６３Ｂとケース２６５Ｂと絶縁体２６８Ｂと放熱筒２６９Ｂ）を有するので、説明を省略する。
【００５８】
また、図１４に示すように、電極２６１Ａは、ＰＴＣヒータ２６３Ａと電気的に接続している。
【００５９】
よって、第一出力端子１７１ｂから出力された電流は、電極２６１Ａ、ＰＴＣヒータ２６３Ａ、電極２６７Ａに流れる。
【００６０】
ＰＴＣヒータ２６３Ａ、２６３Ｂの構成は、それぞれ第一実施形態の第一ＰＴＣヒータ１６３、第二ＰＴＣヒータ１６４と同様であり、ＰＴＣヒータ２６３Ａの上限温度（例えば９０度）がＰＴＣヒータ２６３Ｂの上限温度（例えば５０度）よりも高くなるように設計する。
【００６１】
ケース２６５Ａは、略直方体状に形成され、放熱筒２６９Ａに対向する面に開口部を備え、その内部に電極２６１ＡとＰＴＣヒータ２６３Ａと電極２６７Ａと絶縁体２６８Ａとを収容する空間を備える。ケース２６５Ａには、電極２６１Ａの端子部分２６１Ａａが貫通する貫通孔２６５Ａａと、電極２６７Ａの端子部分２６７Ａａが貫通する貫通孔２６５Ａｂと、が形成される。
【００６２】
ＰＴＣヒータ２６３Ａの熱は、電極２６７Ａを介して、絶縁体２６８Ａに伝わり、更に、絶縁体２６８Ａを介して放熱筒２６９Ａに伝わる。絶縁体２６８Ａ、放熱筒２６９Ａはそれぞれ第二絶縁体１６８、放熱筒１６９と同様の構成である。
【００６３】
＜組立＞
例えば、第一ＰＴＣヒータモジュール２６Ａは以下のように組み立てる（図１３参照）。
【００６４】
電極２６１Ａの端子部分２６１Ａａを貫通孔２６５Ａａに、ケース２６５Ａの内壁面と出力板２６１Ａｂの前面とが接するまで挿入し、ケース２６５Ａに対して電極２６１Ａを固定する。
【００６５】
次に、ＰＴＣヒータ２６３Ａの前面と電極２６１Ａの出力板２６１Ａｂの背面とが接するように、ケース２６５Ａ内部にＰＴＣヒータ２６３Ａを配置する。
【００６６】
電極２６７Ａの端子部分２６７Ａａを貫通孔２６５Ａｂに、ＰＴＣヒータ２６３Ａの背面と電極２６７Ａのヒータプレート部２６７Ａｂの前面とが接するまで挿入し、ケース２６５Ａに対して電極２６７Ａを固定する。このようにして、電極２６１Ａと電極２６７Ａとで、ＰＴＣヒータ２６３Ａを挾持する。
【００６７】
絶縁体２６８Ａは、電極２６７Ａのヒータプレート部２６７Ａｂを覆うように配置する。
【００６８】
放熱筒２６９Ａの係止部２６９Ａａをケース２６５Ａの係止部２６５Ａｄに嵌める。また、係止部２６９Ａｂをケース２６５Ａの底面に設けた図示しない係止部に嵌める。
【００６９】
放熱筒２６９Ａとケース２６５Ａとの係止方法、下ケース２５に対する第一ＰＴＣヒータモジュール２６Ａ、第二ＰＴＣヒータモジュール２６Ｂの固定方法は第一実施形態と同様の方法を用いることができる。
【００７０】
＜効果＞
このような構成とすることで、第一実施形態と同様の効果を得ることができる。但し、第一実施形態よりも部品点数が多くなり、コストが高くなる。
【００７１】
＜第一変形例＞
第二実施形態と異なる部分についてのみ説明する。第二実施形態ではＰＴＣヒータ２６３Ａの上限温度がＰＴＣヒータ２６３Ｂの上限温度よりも高くなるように設計しているが、ＰＴＣヒータ２６３ＡとＰＴＣヒータ２６３Ｂの上限温度を同一としてもよい。その場合、カートリッジ２４はその内部に仕切りを設け、香りの濃さの異なる二つの芳香剤を収容しておく。吸液芯部２４１Ａが浸る芳香剤の濃さを、吸液芯部２４１Ｂが浸る芳香剤の濃さよりも高く設定する。吸液芯部の周囲温度は気温に応じて上昇し、拡散量も増加するが、気温が低い場合には濃さの高い芳香剤を拡散し、気温が高い場合には濃さの低い芳香剤を拡散するため、香りの強さを略一定に保つことができる。
【００７２】
＜第二変形例＞
第一変形例と異なる部分についてのみ説明する。第一変形例では、カートリッジ２４はその内部に仕切りを設け、香りの濃さの異なる二つの芳香剤を収容しておいたが、本変形例では、香りの種類の異なる二つの芳香剤を収容しておく。例えば、一方の芳香剤は、温かい香り（言い換えると、温かみのある香り、例えば、薔薇の香りやフルーツの香り、柑橘系の香り）であり、他方の芳香剤は爽やかな香り（言い換えると、涼を誘う香り、例えば、森林浴の香り、石鹸の香り、ハーブの香り、ミント系の香り）である。
【００７３】
吸液芯部２４１Ａが浸る芳香剤は温かい香りとし、吸液芯部２４１Ｂが浸る芳香剤は爽やかな香りとする。吸液芯部の周囲温度は気温に応じて上昇し、拡散量も増加するが、気温が低い場合には温かい香りの芳香剤を拡散し、気温が高い場合には爽やかな香りの芳香剤を拡散する。そのため、暑い日には爽やかな香りを、寒い日には温かい香りを利用者に提供することができる。
【００７４】
＜その他の変形例＞
ＰＴＣヒータを用いずに、ニクロム線やカーボン繊維など一般的なヒータを用いる構成としてもよい。但し、一般的なヒータの場合、電流が流れると温度が上がり続けるので、温度センサ（サーミスタ）を使ってヒータ温度を測定し、マイコン制御により上限値よりも高くなったらヒータへの電力の供給を停止し、下限値よりも低くなったら電力の供給を再開する。また、マイコン制御に代えて、特許文献１記載のバイメタルスイッチと一般的なヒータを使ってヒータ温度を一定に保ってもよい。第一実施形態や第二実施形態のように、二つのヒータの上限温度を異なるものとする場合には、一方のヒータの下限値と上限値の組合せ（例えば８５度から９５度）が、他方のヒータの上限値と下限値の組合せ（例えば４５度から５５度）よりも高くなるように設計すればよい。但し、ＰＣＴヒータに比べ、部品点数が多くなり、コストが高くなる。また、電力供給をオンオフするため、ヒータ温度は上昇と下降を繰り返し、ＰＴＣヒータに比べると安定しない。また、ＰＴＣヒータに比べると消費電力量が大きくなる。さらに、ＰＴＣヒータは電流が流れ続けても温度が上昇し続けることがないため安全性が高い。
【００７５】
切替機構１７は、第一実施形態において説明した以外の構造であってもよい。形状記憶バネ１７２が温度センサ兼アクチュエータとして機能し、形状記憶バネ１７２の変化（変形、回復）により、スイッチ１７１のレバー１７１ｄを押下、解除すればよい。他の例を図１５Ａ及び図１５Ｂに示す。また、スイッチ１７１も必ずしもマイクロスイッチである必要はなく、アクチュエータとして機能する形状記憶バネ１７２の変化によってオンオフ制御されるスイッチであればよい。
【００７６】
さらに、切替機構１７は、形状記憶バネ１７２やスイッチ１７１を用いずに、温度センサ（サーミスタ）を使って気温を測定し、測定結果を利用してマイコン制御により電流を流すＰＴＣヒータを切り替える構成としてもよい。但し、その場合、部品点数が多くなり、コストが高くなる。
【００７７】
また、第二実施形態の第一変形例と第二変形例を組合せて香りの種類及び香りの濃さの異なる芳香剤をカートリッジ２４に収容してもよい。
【００７８】
また、第二実施形態の変形例において、カートリッジはその内部に仕切りを設けているが、香りの濃さや種類の異なる芳香剤を別個のカートリッジに分けて収容するようにしておいてもよい。このような構成とすることで利用者はより容易に所望の香りの濃さや種類を組合せることができる。
【００７９】
マイコン制御により、または、上述の切替機構１７を組合せて制御することにより、３個以上のＰＴＣヒータを制御し、香りの種類や香りの濃さを３以上に分けてもよい。このとき、ヒータモジュールの個数をＮとし、ｎ＝１，２，…，Ｎとし、ｔｎ＜ｔｎ＋１とすると、マイコンまたは切替機構１７の組合せからなる切替機構は、入力端子を介して取得した電流を、気温がｔｎ以上ｔｎ＋１未満の場合には、第ｎ出力端子から出力する。Ｎ個のヒータモジュールを含み、第ｎヒータモジュールは、第ｎヒータと、第ｎ出力端子及び第ｎヒータと電気的に接続する第ｎ電極と、を有する。ｎ’＝１，２，…，Ｎ、ｎ≠ｎ’であり、第ｎ芳香剤と第ｎ’芳香剤の香りの（１）種類、（２）濃さの少なくとも何れか一方は異なるものとする。第ｎ出力端子から電力の供給を受けて、第ｎヒータモジュールは第ｎ芳香剤を加熱する。このような構成とすることで、気温に応じて、香りの（１）種類、（２）濃さが異なる芳香剤を拡散することができる。
【００８０】
カートリッジを芳香器の一部としてもよい。
【００８１】
本発明は上記の実施形態及び変形例に限定されるものではなく、その他、本発明の趣旨を逸脱しない範囲で適宜変更が可能である。
【図１】
2013031501.tif 000003
【図２】
2013031501.tif 000004
【図３】
2013031501.tif 000005
【図４】
2013031501.tif 000006
【図５】
2013031501.tif 000007
【図６】
2013031501.tif 000008
【図７】
2013031501.tif 000009
【図８】
2013031501.tif 000010
【図９】
2013031501.tif 000011
【図１０】
2013031501.tif 000012
【図１１】
2013031501.tif 000013
【図１２】
2013031501.tif 000014
【図１３】
2013031501.tif 000015
【図１４】
2013031501.tif 000016
【図１５】
2013031501.tif 000017